(57)【特許請求の範囲】
【請求項１】
遊技機のゲーム内容を制御する制御基板を収納する基板ケースにおいて、
上面及び底面が平坦な筒形で、内腔に液体マーカが封入され、前記上面または底面は木ねじ、釘、ピン等の尖頭物を前記内腔まで貫通させるための穴開け部とされたカプセルを、該基板ケースの蓋を閉めたときに前記穴開け部が該蓋に対面する姿勢で該基板ケース内に収容するためのカプセル領域を設け、
該基板ケースの蓋には、該カプセル領域に収容された前記カプセルの穴開け部に対応する位置に前記尖頭物を保持させ、
該基板ケースの底側には前記カプセルを固定的に保持する保持手段を設け、
前記カプセルを前記カプセル領域に収容して前記蓋を閉めて前記尖頭物を前記穴開け部に貫通させて前記蓋と前記カプセルとを連結し、また前記保持手段により該カプセルを保持させた後に前記蓋を開けるためには前記尖頭物を前記カプセルから抜き取ることを要する基板ケース。
【請求項２】
請求項１記載の基板ケースにおいて、
該基板ケースの蓋には、前記尖頭物の尖頭側を通過させ他端側を通過させない形状の留穴が設けられており、
該留穴に貫通させた前記尖頭物を介して前記蓋とカプセルとを連結する構造とした
ことを特徴とする基板ケース。
【請求項３】
請求項１または２記載の基板ケースにおいて、
前記カプセルの少なくとも前記穴開け部を含む部分は、該穴開け部から内腔まで前記尖頭物を貫通された際に該尖頭物と共同して前記液体マーカの漏出を阻止可能な材質であることを特徴とする基板ケース。
【請求項４】
請求項１、２または３記載の基板ケースにおいて、
前記カプセルの内腔が加圧されていることを特徴とする基板ケース。
【請求項５】
請求項１ないし４のいずれか記載の基板ケースにおいて、前記液体マーカが紫外線蛍光インキであることを特徴とする基板ケース。
【請求項６】
請求項１ないし５のいずれか記載の基板ケースにおいて、前記カプセルは円筒形であることを特徴とする基板ケース。
【発明の詳細な説明】
【０００１】
【発明の属する技術分野】
本発明は、パチンコ機やスロットマシン（回胴式遊技機）等の遊技機のゲーム内容を制御する制御基板を収納する基板ケースの違法な開閉を防止するための技術に関する。
【０００２】
【従来の技術および発明が解決しようとする課題】
パチンコ機やスロットマシン等の遊技機は、そのゲーム内容や構造が法規によって規制されている。特に遊技機のゲーム内容を制御する制御基板に配されるＲＯＭに記憶されるプログラムは、例えばパチンコ機における大当たりの発生を制御する等、きわめて重要な内容を含んでいる。したがって、ＲＯＭ（厳密にはそのプログラム）を不法に交換して不当に大当たりを発生させるといった行為も皆無ではなかった。
【０００３】
このＲＯＭが含まれる制御基板は基板ケースに収容され、ケースの蓋は公的なシールで封緘され、違法に開閉すれば直ぐに判るようにはなっているのだが、さまざまな手法によって違法な開閉を隠蔽することもできなくはなかった。つまり、従来のシールによる封緘は違法な開閉の防止には不十分であった。
【０００４】
本発明は、制御基板を収納する基板ケースの違法な開閉を確実に防止することを目的としている。
【０００５】
【課題を解決するための手段および発明の効果】
上記課題を解決するための請求項１記載の基板ケースは、
遊技機のゲーム内容を制御する制御基板を収納する基板ケースにおいて、
上面及び底面が平坦な筒形で、内腔に液体マーカが封入され、前記上面または底面は木ねじ、釘、ピン等の尖頭物を前記内腔まで貫通させるための穴開け部とされたカプセルを、該基板ケースの蓋を閉めたときに前記穴開け部が該蓋に対面する姿勢で該基板ケース内に収容するためのカプセル領域を設け、
該基板ケースの蓋には、該カプセル領域に収容された前記カプセルの穴開け部に対応する位置に前記尖頭物を保持させ、
該基板ケースの底側には前記カプセルを固定的に保持する保持手段を設け、
前記カプセルを前記カプセル領域に収容して前記蓋を閉めて前記尖頭物を前記穴開け部に貫通させて前記蓋と前記カプセルとを連結し、また前記保持手段により該カプセルを保持させた後に前記蓋を開けるためには前記尖頭物を前記カプセルから抜き取ることを要する。
【０００６】
カプセルは、上面及び底面が平坦な筒形で、内腔に液体マーカが封入され、上面または底面は木ねじ、釘、ピン等の尖頭物を内腔まで貫通させるための穴開け部とされている。カプセルは、請求項６記載の円筒形にすることができる。
液体マーカとしては、染料や塗料、請求項５記載の紫外線蛍光インキ等が例示されるが、これらに限るものではない。要は、液体であって、他の物体を着色したり、何らかの付着痕を残すものであればよい。紫外線蛍光インキは、例えばブラックランプとも呼ばれる紫外線ランプで照射したときに蛍光を発するインキで、さまざまな成分、組成のものが知られている。なお、以下の説明で明瞭となるが、紫外線蛍光インキは無色、透明であることが好ましい。
【０００７】
基板ケースには、基板ケースの蓋を閉めたときに穴開け部が蓋に対面する姿勢で、カプセルを基板ケース内に収容するためのカプセル領域が設けられている。
このカプセル領域に収容したカプセルを保持手段にて基板ケースの底側に固定し、基板ケースの蓋を閉め、蓋に保持される尖頭物、例えば木ねじ等をカプセルの穴開け部に貫通させてカプセルと蓋とを連結する。
このとき、カプセルから液体マーカを漏れ出させないことが肝要である。そのためには、請求項３記載のように、カプセルの穴開け部を含む部分を、穴開け部から内腔まで尖頭物を貫通された際に尖頭物と共同して液体マーカの漏出を阻止可能な材質としたり、液状やゲル状のシール剤を使用して密封状態を維持しつつ尖頭物を貫通させる必要がある。尖頭物と共同して液体マーカの漏出を阻止可能な材質としては、軟質のプラスチックや各種のゴム等が例示される。また、カプセルを筒形として、その平坦な上面または底面を穴開け部としているので作業性が良好である。もちろん上面および底面の両方を穴開け部としてもよい。
【０００８】
保持手段により基板ケースの底側に固定的に保持されたカプセルが尖頭物を介して基板ケースの蓋と連結されてしまうから、尖頭物を抜き取って、この連結を解除しない限り蓋を開けることはできない。ところが、カプセルには尖頭物の貫通によって穴を開けられているので、もし尖頭物を抜き取れば液体マーカが漏出して例えば基板ケースの蓋等に付着する。したがって、基板ケースを見れば違法な開閉の有無は直ぐに判明する。
【０００９】
請求項５記載の紫外線蛍光インキを使用した場合には、基板ケースを紫外線ランプで照射すれば、違法な開閉の有無は直ぐに判明する。また、紫外線蛍光インキに着色されていると付着した紫外線蛍光インキのふき取りや洗浄が容易になるので、紫外線蛍光インキは無色、透明であるほうがよい。
【００１０】
特に、請求項４記載のように内腔を加圧しておけば、液体マーカが噴出するから、蓋等への付着は一層確実になる。
なお、遊技機の修理などに伴って基板ケースを開放することもあるが、そうした作業はメーカーの工場に持ち込んで行われるのが普通で、遊技店内で行うことは皆無と言ってもよい。そして、そのような作業を行った際には、メーカー側で基板ケースも交換してしまえばよいわけで、修理に関わる開閉には問題はない。
【００１１】
このように、この基板ケースは、一旦カプセルをカプセル領域に収容し、蓋を閉めて、尖頭物を介して蓋とカプセルとを連結し、また保持手段によりカプセルを保持させたなら、尖頭物を抜き取らない限り蓋を開けられないので、違法な開閉を的確に発見できる。
【００１２】
尖頭物は、例えば基板ケースの蓋の一部を尖らせることによって設けてもよいし、釘のようなものを蓋の内面に接着してもよい。また請求項２記載のように、蓋に留穴を設けておいてその留穴に貫通させた前記尖頭物を介して前記蓋とカプセルとを連結する構造としてもよい。
【００１３】
このように基板ケースの違法な開閉を簡単且つ的確に発見できれば、仮に違法な開閉が行われてもそれによって不当に賞球等を得ることを困難にするから、結局そのような違法行為の防止につながる。
なお、液体マーカは、基板ケースの内側に付着する可能性が高いから、その内側の液体マーカの検出を容易ならしめるために、基板ケースは透明とするのが好ましい。
【００１４】
【発明の実施の形態】
次に、本発明の実施例を図面を参照して説明することにより、発明の実施の形態を具体的に説明する。
【００１５】
【実施例】
図１に示すように、本実施例のカプセル１０は全体がプラスチック製で、円筒状の本体１２と下端部から張り出す回転止め用の正方形のフランジ１４を備えており、本体１２の内部に形成された内腔１６には紫外線蛍光インキ１８が封入されている。また、本体１２の上面２０ａおよび底面２０ｂはいずれも平坦で、それぞれ請求項１記載の穴開け部とされている。
【００１６】
図２に示すように、このカプセル１０を用いる基板ケース３０は、箱状の底部３２と蓋部３４とからなり、底部３２および蓋部３４は透明プラスチック製である。底部３２にはカプセル１０のフランジ１４に整合する形状の回り止め３６が設けられ、その回り止め３６のほぼ中心となる位置に木ねじ用の貫通穴３８が開けられている。また蓋部２４には、貫通穴３８と対向する位置に同様の貫通穴４０が開けられている。また、この基板ケース３０に収容される遊技機の制御基板５０には、回り止め３６内にカプセル１０を填め込んだときにカプセル１０の本体１２が来る位置に対応して、穴５２が開けられている。
【００１７】
この基板ケース３０に制御基板５０を収容する際には、底部３２の回り止め３６にカプセル１０のフランジ１４を填め込んで、底部３２の内面側にカプセル１０を立てる。そこで木ねじ５２ａを、貫通穴３８に通してカプセル１０の底面２０ｂにねじ込み、カプセル１０を底部３２に固定する。なお、木ねじ５２ａの有効長さは、底部３２の厚さとカプセルの底面２０ｂの厚さの和よりも十分に長い必要があり、そうであれば、図３に示されるように木ねじ５２ａによって底面２０ｂに貫通孔が開けられる。
【００１８】
次に、穴５２にカプセル１０の本体１２を挿通させて、制御基板５０を底部３２内に設置する。
その後、蓋部３４を底部３２にかぶせるようにして、蓋部３４と底部３２とで制御基板５０を覆い、木ねじ５２ａを、貫通穴４０に通してカプセル１０の上面２０ａにねじ込み、カプセル１０を蓋部３４に固定する。なお、木ねじ５２ｂの有効長さは、蓋部３４の厚さとカプセルの上面２０ａの厚さの和よりも十分に長い必要があり、そうであれば、図３に示されるように木ねじ５２ｂによって上面２０ａに貫通孔が開けられる。
【００１９】
このようにして制御基板５０を基板ケース３０に収容した状態では、カプセル１０付近は図３に示される状態となる。よって、木ねじ５２ａ、５２ｂのいずれかを抜かなければ、蓋部３４と底部３２を分離することはできず、制御基板５０を露出させることはできない。
【００２０】
そして、もし木ねじ５２ａ、５２ｂのいずれかを抜いたなら、カプセル１０に開けられた貫通孔から紫外線蛍光インキが流出して、基板ケース３０のどこかに付着する。したがって、たとえ元通りに底部３２と蓋部３４を合わせて木ねじ５２ａ、５２ｂをねじ込んだとしても、紫外線ランプを照射すれば基板ケース３０に付着した紫外線蛍光インキが蛍光を発するので、基板ケース３０が開閉されたことが直ちに判る。底部３２および蓋部３４が透明であるから、紫外線蛍光インキが基板ケース３０の内部付着しても検出は簡単である。
【００２１】
よって、不法なＲＯＭの交換などが行われていることを推定でき、その遊技機を使用させないことにより賞球を不当に得ようとする行為を防止できる。
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例のカプセルの構造の説明図であり、図１（ａ）は縦断面図、図１（ｂ）は平面図である。
【図２】  実施例の基板ケースの構造とカプセルの取付の説明図である。
【図３】  実施例の基板ケースに制御基板とカプセルを収容した状態の一部断面図である。
【符号の説明】
１０…カプセル    １２…本体    １４…フランジ    １６…内腔
１８…紫外線蛍光インキ（液体マーカ）    ２０ａ…上面
２０ｂ…底面（穴開け部）    ２４…蓋部    ３０…基板ケース
３２…底部    ３４…蓋部    ３８…貫通穴    ４０…貫通穴（留穴）
５０…制御基板    ５２…穴    ５２ａ…木ねじ（尖頭物）
５２ｂ…木ねじ（尖頭物、保持手段）
【図１】
0003718019.tif 000002
【図２】
0003718019.tif 000003
【図３】
0003718019.tif 000004